【手続補正書】
【提出日】平成24年12月25日(2012.12.25)
【手続補正１】
【補正対象書類名】特許請求の範囲
【補正対象項目名】全文
【補正方法】変更
【補正の内容】
【特許請求の範囲】
【請求項１】
画像データを入力する画像入力手段と、
前記画像入力手段により入力される前記画像データに対してユーザにより設定される複数のパラメータを受付ける受付手段と、
前記画像入力手段により入力された前記画像データと前記受付手段で受付けた前記複数のパラメータとを記憶する記憶手段と、
前記画像データに対応する前記複数のパラメータからパラメータの種類ごとに第１のセキュリティ情報を生成して記憶するセキュリティ情報記憶手段と、
前記記憶手段から前記画像データを読み出す場合に、当該画像データに対応する複数のパラメータからパラメータの種類ごとに第２のセキュリティ情報を決定する決定手段と、
前記セキュリティ情報記憶手段に記憶された前記第１のセキュリティ情報と、前記決定手段により決定された前記第２のセキュリティ情報とが一致するかどうかを判定する判定手段と、
前記判定手段により不一致と判定された場合、不一致と判定された前記第１及び第２のセキュリティ情報に対応するパラメータの種類に応じて、前記画像データに対する処理を変更する制御手段と、
を有することを特徴とする画像処理装置。
【請求項２】
前記判定手段により不一致と判定された場合に前記画像データに対して行われる処理の制限内容を示す制限情報を、前記パラメータの種類ごとに記憶する管理情報記憶手段を更に有し、
前記制御手段は、前記判定手段により不一致と判定された前記第１及び第２のセキュリティ情報に対応するパラメータの種類と、前記管理情報記憶手段に記憶された前記制限情報とに応じて、前記画像データに対する処理を変更することを特徴とする請求項１に記載の画像処理装置。
【請求項３】
前記判定手段により不一致と判定された場合にユーザに対して警告を行う警告手段を更に有することを特徴とする請求項１または２に記載の画像処理装置。
【請求項４】
前記第１及び第２のセキュリティ情報は、前記パラメータのハッシュ値であることを特徴とする請求項１乃至３の何れか１項に記載の画像処理装置。
【請求項５】
前記画像データに対して制限される処理の内容は、印刷、送信、編集、プレビュー表示のうち少なくともいずれかを含むことを特徴とする請求項２乃至４のいずれか１項に記載の画像処理装置。
【請求項６】
画像データを入力する画像入力工程と、
前記画像入力工程で入力される前記画像データに対してユーザにより設定される複数のパラメータを受付ける受付工程と、
前記画像入力工程で入力された前記画像データと前記受付工程で受付けた前記複数のパラメータとをメモリに記憶する記憶工程と、
前記画像データに対応する前記複数のパラメータからパラメータの種類ごとに第１のセキュリティ情報を生成して記憶するセキュリティ情報記憶工程と、
前記メモリから前記画像データを読み出す際、当該画像データに対応する複数のパラメータから当該パラメータの種類ごとに第２のセキュリティ情報を決定する決定工程と、
前記セキュリティ情報記憶工程において記憶された前記第１のセキュリティ情報と、前記決定工程において決定された前記第２のセキュリティ情報とが一致するかどうかを判定する判定工程と、
前記判定工程により不一致と判定された前記第１及び第２のセキュリティ情報に対応するパラメータの種類に応じて、前記画像データに対する処理を変更する制御工程と、
を有することを特徴とする画像処理装置の制御方法。
【請求項７】
前記判定工程において不一致と判定された場合に前記画像データに対して行われる処理の制限内容を示す制限情報を、前記パラメータの種類ごとに記憶する管理情報記憶工程を更に有し、
前記制御工程は、前記判定工程により不一致と判定された前記第１及び第２のセキュリティ情報に対応するパラメータの種類と、前記管理情報記憶工程において記憶された前記制限情報とに応じて、前記画像データに対する処理を変更することを特徴とする、請求項６に記載の画像処理装置の制御方法。
【請求項８】
前記判定工程で不一致と判定された場合にユーザに対して警告を行う警告工程を更に有することを特徴とする請求項６または７に記載の画像処理装置の制御方法。
【請求項９】
前記第１及び第２のセキュリティ情報は、前記パラメータのハッシュ値であることを特徴とする請求項６乃至８の何れか１項に記載の画像処理装置の制御方法。
【請求項１０】
前記画像データに対して制限される処理の内容は、印刷、送信、編集、プレビュー表示のうち少なくともいずれかを含むことを特徴とする請求項７乃至９のいずれか１項に記載の画像処理装置の制御方法。
【請求項１１】
画像処理装置の制御方法の各工程をコンピュータに実行させるためのプログラムであって、
前記制御方法は、
画像データを入力する画像入力工程と、
前記画像入力工程で入力される前記画像データに対してユーザにより設定される複数のパラメータを受付ける受付工程と、
前記画像入力工程で入力された前記画像データと前記受付工程で受付けた前記複数のパラメータとをメモリに記憶する記憶工程と、
前記画像データに対応する前記複数のパラメータからパラメータの種類ごとに第１のセキュリティ情報を生成して記憶するセキュリティ情報記憶工程と、
前記メモリから前記画像データを読み出す際、当該画像データに対応する複数のパラメータから当該パラメータの種類ごとに第２のセキュリティ情報を決定する決定工程と、
前記セキュリティ情報記憶工程において記憶された前記第１のセキュリティ情報と、前記決定工程において決定された前記第２のセキュリティ情報とが一致するかどうかを判定する判定工程と、
前記判定工程により不一致と判定された前記第１及び第２のセキュリティ情報に対応するパラメータの種類に応じて、前記画像データに対する処理を変更する制御工程と、
を有することを特徴とするプログラム。
【手続補正２】
【補正対象書類名】明細書
【補正対象項目名】発明の名称
【補正方法】変更
【補正の内容】
【発明の名称】画像処理装置及びその制御方法、並びにプログラム
【手続補正３】
【補正対象書類名】明細書
【補正対象項目名】０００１
【補正方法】変更
【補正の内容】
【０００１】
本発明は、画像データとその画像データに対する処理を特定するパラメータを記憶した画像ファイルを作成する画像処理装置及びその制御方法、並びにプログラムに関するものである。
【手続補正４】
【補正対象書類名】明細書
【補正対象項目名】０００９
【補正方法】変更
【補正の内容】
【０００９】
上記目的を達成するために本発明の一態様に係る画像処理装置は以下のような構成を備える。即ち、
画像データを入力する画像入力手段と、
前記画像入力手段により入力される前記画像データに対してユーザにより設定される複数のパラメータを受付ける受付手段と、
前記画像入力手段により入力された前記画像データと前記受付手段で受付けた前記複数のパラメータとを記憶する記憶手段と、
前記画像データに対応する前記複数のパラメータからパラメータの種類ごとに第１のセキュリティ情報を生成して記憶するセキュリティ情報記憶手段と、
前記記憶手段から前記画像データを読み出す場合に、当該画像データに対応する複数のパラメータからパラメータの種類ごとに第２のセキュリティ情報を決定する決定手段と、
前記セキュリティ情報記憶手段に記憶された前記第１のセキュリティ情報と、前記決定手段により決定された前記第２のセキュリティ情報とが一致するかどうかを判定する判定手段と、
前記判定手段により不一致と判定された場合、不一致と判定された前記第１及び第２のセキュリティ情報に対応するパラメータの種類に応じて、前記画像データに対する処理を変更する制御手段と、
を有することを特徴とする。